(57)【要約】  【課題】  マイクロコンピュータにより制御され、マイクロコンピュータの各出力ポートからの出力を簡単に変更することが可能な空気調和機の提供。  【解決手段】  マイクロコンピュータ２の複数の出力ポートからの制御信号により、内蔵する空気調和の為の複数の機器３，４，５を駆動制御する空気調和機。複数の出力ポート及び複数の機器３，４，５との接続関係を示すデータを記憶する記憶手段７と、記憶手段７からデータを読み出す手段（２）とを備え、読み出す手段（２）が読出したデータに基づき、出力ポートから制御信号を出力するように構成してある。【選択図】        図１
2006189171.tif 000002
【特許請求の範囲】
【請求項１】
マイクロコンピュータの複数の出力ポートからの制御信号により、内蔵する空気調和の為の複数の機器を駆動制御する空気調和機において、
前記複数の出力ポート及び前記複数の機器との接続関係を示すデータを記憶する記憶手段と、該記憶手段から前記データを読み出す手段とを備え、該手段が読み出したデータに基づき、前記出力ポートから制御信号を出力するように構成してあることを特徴とする空気調和機。
【請求項２】
吹出口に設けられ、回動されることにより風向を変更する複数のルーバと、該複数のルーバをそれぞれ回動させる複数のモータとを備え、マイクロコンピュータの複数の出力ポートからの制御信号により、前記複数のモータを駆動して、前記ルーバを回動制御する空気調和機において、
前記複数の出力ポートと前記ルーバ又は前記複数のモータとの関係を示すデータを記憶する記憶手段と、該記憶手段から前記データを読み出す手段とを備え、該手段が読み出したデータに基づき、前記出力ポートから制御信号を出力するように構成してあることを特徴とする空気調和機。
【請求項３】
前記記憶手段が記憶するデータに基づき、前記モータを停止するように構成してある請求項２に記載の空気調和機。
【請求項４】
前記記憶手段が記憶するデータに基づき、前記モータの回転方向を変更するように構成してある請求項２又は３記載の空気調和機。
【請求項５】
運転状態を表示する複数のランプを備え、マイクロコンピュータの複数の出力ポートからの制御信号により、前記複数のランプを点灯制御する空気調和機において、
前記複数の出力ポートと前記複数のランプとの接続関係を示すデータを記憶する記憶手段と、該記憶手段から前記データを読み出す手段とを備え、該手段が読み出したデータに基づき、前記出力ポートから制御信号を出力するように構成してあることを特徴とする空気調和機。
【請求項６】
前記記憶手段が記憶するデータに基づき、前記ランプを消灯するように構成してある請求項５記載の空気調和機。
【請求項７】
前記記憶手段が記憶するデータを変更する手段を更に備える請求項１乃至６の何れか１項に記載の空気調和機。
【発明の詳細な説明】
【技術分野】
【０００１】
本発明は、ＲＯＭ（Read Only Memory）を有するマイクロコンピュータにより制御される空気調和機に関するものである。
【背景技術】
【０００２】
図１０は、従来の空気調和機のステッピングモータの出力制御の例を示すフローチャートである。ここでは、例えば、吹出口に風向変更可能に設けられた３つのルーバと、これらのルーバにそれぞれ連結されルーバを回動させる３つのモータとを備えているものとする。
この空気調和機では、電源がオンされると、マイクロコンピュータ（以下、マイコンと記載）が、第１〜３ルーバの各出力パターン（各動作パターン）を設定する（Ｓ１０１〜１０３）。次いで、第１〜３ルーバにそれぞれ連結されたステッピングモータへの各出力ポートから、第１〜３ルーバの各出力パターンをそれぞれ出力し（Ｓ１０４〜１０６）リターンする。
【０００３】
特許文献１には、室外側制御部のマイコンに読出し書込み可能なＥＥＰＲＯＭを接続し、予め入力電流の設定、機能切換え及び運転周波数等の設定値を書き込み、接続条件を自動設定すると共に、設定値の書換えが自由に行える空気調和機のインバータ制御装置が開示されている。
【特許文献１】特開平４−６２３５１号公報
【発明の開示】
【発明が解決しようとする課題】
【０００４】
上述したような従来の、マイコンにより制御される空気調和機では、マイコンの各出力ポートからの出力は、マイコンが有するＲＯＭに設定内容の書込み（ＲＯＭ出図）をしてしまえば、変更することができず、その後に出力ポートの配置を変更する場合は、ＲＯＭ出図を再度実施する必要がであるという問題がある。
本発明は、上述したような事情に鑑みてなされたものであり、マイクロコンピュータにより制御され、マイクロコンピュータの各出力ポートからの出力を簡単に変更することが可能な空気調和機を提供することを目的とする。
【課題を解決するための手段】
【０００５】
本発明に係る空気調和機は、マイクロコンピュータの複数の出力ポートからの制御信号により、内蔵する空気調和の為の複数の機器を駆動制御する空気調和機において、前記複数の出力ポート及び前記複数の機器との接続関係を示すデータを記憶する記憶手段と、該記憶手段から前記データを読み出す手段とを備え、該手段が読み出したデータに基づき、前記出力ポートから制御信号を出力するように構成してあることを特徴とする。
【０００６】
この空気調和機では、マイクロコンピュータの複数の出力ポートからの制御信号により、内蔵する空気調和の為の複数の機器を駆動制御する。記憶手段が、複数の出力ポート及び複数の機器との接続関係を示すデータを記憶し、読み出す手段が、記憶手段からそのデータを読み出し、読み出したデータに基づき、出力ポートから制御信号を出力する。
【０００７】
本発明に係る空気調和機は、吹出口に設けられ、回動されることにより風向を変更する複数のルーバと、該複数のルーバをそれぞれ回動させる複数のモータとを備え、マイクロコンピュータの複数の出力ポートからの制御信号により、前記複数のモータを駆動して、前記ルーバを回動制御する空気調和機において、前記複数の出力ポートと前記ルーバ又は前記複数のモータとの関係を示すデータを記憶する記憶手段と、該記憶手段から前記データを読み出す手段とを備え、該手段が読み出したデータに基づき、前記出力ポートから制御信号を出力するように構成してあることを特徴とする。
【０００８】
この空気調和機では、複数のルーバが、吹出口に設けられ、回動されることにより風向を変更し、複数のモータが、複数のルーバをそれぞれ回動させ、マイクロコンピュータの複数の出力ポートからの制御信号により、複数のモータを駆動して、ルーバを回動制御する。記憶手段が、複数の出力ポートとルーバ又は複数のモータとの関係を示すデータを記憶し、読み出す手段が、記憶手段からデータを読み出し、読み出したデータに基づき、出力ポートから制御信号を出力する。
【０００９】
本発明に係る空気調和機は、前記記憶手段が記憶するデータに基づき、前記モータを停止するように構成してあることを特徴とする。
【００１０】
本発明に係る空気調和機は、前記記憶手段が記憶するデータに基づき、前記モータの回転方向を変更するように構成してあることを特徴とする。
【００１１】
本発明に係る空気調和機は、運転状態を表示する複数のランプを備え、マイクロコンピュータの複数の出力ポートからの制御信号により、前記複数のランプを点灯制御する空気調和機において、前記複数の出力ポートと前記複数のランプとの接続関係を示すデータを記憶する記憶手段と、該記憶手段から前記データを読み出す手段とを備え、該手段が読み出したデータに基づき、前記出力ポートから制御信号を出力するように構成してあることを特徴とする。
【００１２】
この空気調和機では、複数のランプが、運転状態を表示し、マイクロコンピュータの複数の出力ポートからの制御信号により、複数のランプを点灯制御する。記憶手段が、複数の出力ポートと複数のランプとの接続関係を示すデータを記憶し、読み出す手段が、記憶手段からデータを読み出し、読み出したデータに基づき、出力ポートから制御信号を出力する。
【００１３】
本発明に係る空気調和機は、前記記憶手段が記憶するデータに基づき、前記ランプを消灯するように構成してあることを特徴とする。
【００１４】
本発明に係る空気調和機は、前記記憶手段が記憶するデータを変更する手段を更に備えることを特徴とする。
【発明の効果】
【００１５】
本発明に係る空気調和機によれば、マイクロコンピュータにより制御され、マイクロコンピュータの各出力ポートからの出力を簡単に変更することが可能な空気調和機を実現することができる。また、予め複数の出力パターン（動作パターン）を用意しておけば、ＲＯＭ出図後においても、データの書換えが容易なＥＥＰＲＯＭ（Electrically-Erasable Programmable ROM）等のメモリの記憶内容を変更するだけで、空気調和の為の複数の機器の出力パターン（動作パターン）を変更することが可能になる。
【００１６】
本発明に係る空気調和機によれば、予め複数の出力パターン（動作パターン）を用意しておけば、ＲＯＭ出図後においても、データの書換えが容易なＥＥＰＲＯＭ等のメモリの記憶内容を変更するだけで、複数のルーバ及びルーバを回動させる複数のモータの動作パターン（出力パターン）を変更することが可能になる。
【００１７】
本発明に係る空気調和機によれば、予め複数の点灯パターンを用意しておけば、ＲＯＭ出図後においても、データの書換えが容易なＥＥＰＲＯＭ等のメモリの記憶内容を変更するだけで、運転状態を表示する複数のランプの点灯パターンを変更することが可能になる。
【発明を実施するための最良の形態】
【００１８】
以下に、本発明をその実施の形態を示す図面に基づき説明する。
（実施の形態１）
図１は、本発明に係る空気調和機の実施の形態１の構成を示すブロック図である。この空気調和機１は、ステッピングモータ３，４，５、冷暖房部６、及びＥＥＰＲＯＭである外部記憶装置（記憶手段）７と、マイクロコンピュータ（以下、マイコンと記載）２の各出力ポート及び入力ポートとが接続されている。ステッピングモータ３，４，５は、吹出口に風向変更可能に設けられた図示しない第１，２，３ルーバに、それぞれ連結されている。
【００１９】
外部記憶装置７には、ステッピングモータ３，４，５への各出力ポートと、第１，２，３ルーバの各出力パターン（動作パターン）データとの対応関係を示すデータが記憶されている。
例えば、第１，２，３ルーバの各出力パターンデータに対して、下記のようにそれぞれ番号が付けられており、この番号と各出力ポートとの対応関係を示すデータ及び各出力パターンデータが、外部記憶装置７に記憶されている。
１；第１ルーバの出力パターンデータ
２；第２ルーバの出力パターンデータ
３；第３ルーバの出力パターンデータ
ルーバの出力パターンデータには、そのルーバを回動させるステッピングモータを停止させるデータ、及びステッピングモータの回転方向を変更させるデータも含まれている。
【００２０】
以下に、このような構成の空気調和機１のステッピングモータの出力制御の例を、それを示す図２のフローチャートに基づき説明する。
マイコン２は、電源がオンされると、先ず、外部記憶装置７のＥＥＰＲＯＭが記憶するデータを読出し、内蔵する一時記憶ＲＡＭに格納して（Ｓ２０１）、第１，２，３ルーバの各出力パターンデータを設定する（Ｓ２０２，２０３，２０４）。
【００２１】
マイコン２は、次に、上述した番号と各出力ポートとの対応関係を示すデータを参照して、ステッピングモータ３に出力するルーバの出力パターンを決定し（Ｓ２０５）、決定した出力パターンに基づく出力を、ステッピングモータ３への出力ポートから出力する（Ｓ２０６）。例えば、ステッピングモータ３への出力ポートに対応する番号が「１」であれば、第１ルーバの出力パターンデータを、ステッピングモータ３への出力ポートから出力する。
【００２２】
マイコン２は、次に、番号と各出力ポートとの対応関係を示すデータを参照して、ステッピングモータ４に出力するルーバの出力パターンを決定し（Ｓ２０７）、決定した出力パターンに基づく出力を、ステッピングモータ４への出力ポートから出力する（Ｓ２０８）。
マイコン２は、次に、番号と各出力ポートとの対応関係を示すデータを参照して、ステッピングモータ５に出力するルーバの出力パターンを決定し（Ｓ２０９）、決定した出力パターンに基づく出力を、ステッピングモータ５への出力ポートから出力し（Ｓ２１０）リターンする。
【００２３】
（実施の形態２）
図３，４は、本発明に係る空気調和機の実施の形態２の互いに異なる機種の構成を示すブロック図である。本実施の形態２では、外部記憶装置のＥＥＰＲＯＭのデータを書換えることにより、簡単に異なる機種を実現する例を説明する。
図３に示す空気調和機１ａは、ステッピングモータ３，４，５、冷暖房部６、及びＥＥＰＲＯＭである外部記憶装置７と、マイコン２の各出力ポート及び入力ポートとが接続されている。ステッピングモータ３には、吹出口に設けられ、回動されることにより風向を変更する上ルーバ８が連結され、ステッピングモータ４には上ルーバ９が、ステッピングモータ５には下ルーバ１０が、それぞれ連結されている。
【００２４】
図４に示す空気調和機１ｂは、ステッピングモータ３，４，５、冷暖房部６、及びＥＥＰＲＯＭである外部記憶装置７と、マイコン２の各出力ポート及び入力ポートとが接続されている。ステッピングモータ３には、吹出口に設けられ、回動されることにより風向を変更する上ルーバ８が連結され、ステッピングモータ４には下ルーバ１０が連結され、ステッピングモータ５にはルーバは連結されていない。
【００２５】
空気調和機１ａ（図３），１ｂ（図４）の各外部記憶装置７には、ステッピングモータ３，４，５への各出力ポートと、上ルーバ８、上ルーバ９及び下ルーバ１０の各出力パターン（動作パターン）データとの対応関係を示すデータが記憶されている。
例えば、上ルーバ８、上ルーバ９及び下ルーバ１０の各出力パターンデータが、図５（ａ）に示すようにそれぞれ番号（データ値）が付けられて、外部記憶装置７に記憶されている。また、外部記憶装置７のＥＥＰＲＯＭのデータアドレス（アドレス）と、ステッピングモータ３，４，５への各出力ポートのアドレス（データ内容）との関係が、図５（ｂ）に示すように設定されている。
尚、ルーバの出力パターンデータには、そのルーバを回動させるステッピングモータを停止させるデータ、及びステッピングモータの回転方向を変更させるデータも含まれている。
【００２６】
以下に、空気調和機１ａ（図３）のステッピングモータの出力制御の例を、それを示す図７のフローチャートに基づき説明する。
空気調和機１ａの外部記憶装置７のＥＥＰＲＯＭには、図５（ａ）、（ｂ）に示す内容の他、記憶するデータを変更する手段であるＥＥＰＲＯＭ書換え装置を用いて、図６に示すように、指定された各アドレス（００Ｈ／０１Ｈ／０２Ｈ）に、番号（データ値）が書込まれている。尚、ＥＥＰＲＯＭ書換え装置は、空気調和機が内蔵する構成であっても良い。
【００２７】
マイコン２は、先ず、外部記憶装置７のＥＥＰＲＯＭが記憶する、図５（ａ）、（ｂ）及び図６に示すデータを読み出し、内蔵する一時記憶ＲＡＭに格納して（Ｓ３０２）、上ルーバ８、上ルーバ９及び下ルーバ１０の各出力パターンデータを設定する（Ｓ３０３，３０４，３０５）。
ＥＥＰＲＯＭでは読み込むのに時間がかかる為、読み込み時間が短いマイコン２内のＲＡＭに一時保管しておく。
【００２８】
マイコン２は、次に、ＲＡＭ内のＥＥＰＲＯＭアドレス００Ｈ（図６）を読み込む（Ｓ３０６）。ここでは、アドレス００Ｈ内のデータが「１」であるので、
ＥＥＰＲＯＭアドレス００Ｈに対応する出力ポートに接続されたステッピングモータ３（図５（ｂ））への出力パターンを、「上ルーバ８」に決定する（Ｓ３０７）。ついで、決定した出力パターンに基づく出力を、ステッピングモータ３に接続された出力ポートから出力する（Ｓ３０８）。
【００２９】
マイコン２は、次に、ＲＡＭ内のＥＥＰＲＯＭアドレス０１Ｈ（図６）を読み込む（Ｓ３０９）。ここでは、アドレス０１Ｈ内のデータが「２」であるので、ＥＥＰＲＯＭアドレス０１Ｈに対応する出力ポートに接続されたステッピングモータ４（図５（ｂ））への出力パターンを、「上ルーバ９」に決定する（Ｓ３１０）。ついで、決定した出力パターンに基づく出力を、ステッピングモータ４に接続された出力ポートから出力する（Ｓ３１１）。
【００３０】
マイコン２は、次に、ＲＡＭ内のＥＥＰＲＯＭアドレス０２Ｈ（図６）を読み込む（Ｓ３１２）。ここでは、アドレス０２Ｈ内のデータが「３」であるので、ＥＥＰＲＯＭアドレス０２Ｈに対応する出力ポートに接続されたステッピングモータ５（図５（ｂ））への出力パターンを、「下ルーバ１０」に決定する（Ｓ３１３）。ついで、決定した出力パターンに基づく出力を、ステッピングモータ５に接続された出力ポートから出力し（Ｓ３１４）リターンする。
【００３１】
以下に、空気調和機１ｂ（図４）のステッピングモータの出力制御の例を、それを示す図９のフローチャートに基づき説明する。
空気調和機１ｂの外部記憶装置７のＥＥＰＲＯＭには、図５（ａ）、（ｂ）に示す内容の他、ＥＥＰＲＯＭ書換え装置を用いて、図８に示すように、指定された各アドレス（００Ｈ／０１Ｈ／０２Ｈ）に、番号（データ値）が書込まれている。
マイコン２は、先ず、外部記憶装置７のＥＥＰＲＯＭが記憶する、図５（ａ）、（ｂ）及び図８に示すデータを読み出し、内蔵する一時記憶ＲＡＭに格納して（Ｓ４０２）、上ルーバ８及び下ルーバ１０の各出力パターンデータを設定する（Ｓ４０３，４０５）。
【００３２】
マイコン２は、次に、ＲＡＭ内のＥＥＰＲＯＭアドレス００Ｈ（図８）を読み込む（Ｓ４０６）。ここでは、アドレス００Ｈ内のデータが「１」であるので、ＥＥＰＲＯＭアドレス００Ｈに対応する出力ポートに接続されたステッピングモータ３（図５（ｂ））への出力パターンを、「上ルーバ８」に決定する（Ｓ４０７）。ついで、決定した出力パターンに基づく出力を、ステッピングモータ３に接続された出力ポートから出力する（Ｓ４０８）。
【００３３】
マイコン２は、次に、ＲＡＭ内のＥＥＰＲＯＭアドレス０１Ｈ（図８）を読み込む（Ｓ４０９）。ここでは、アドレス０１Ｈ内のデータが「３」であるので、ＥＥＰＲＯＭアドレス０１Ｈに対応する出力ポートに接続されたステッピングモータ４（図５（ｂ））への出力パターンを、「下ルーバ１０」に決定する（Ｓ４１０）。ついで、決定した出力パターンに基づく出力を、ステッピングモータ４に接続された出力ポートから出力する（Ｓ４１１）。
【００３４】
マイコン２は、次に、ＲＡＭ内のＥＥＰＲＯＭアドレス０２Ｈ（図８）を読み込む（Ｓ４１２）。ここでは、アドレス０２Ｈ内のデータが「４」であるので、ＥＥＰＲＯＭアドレス０２Ｈに対応する出力ポートに接続されたステッピングモータ５（図５（ｂ））への出力パターンを、「出力無し」に決定する（Ｓ４１３）。決定した出力パターンが「出力無し」であるので、ステッピングモータ５に接続された出力ポートからは出力せず（Ｓ４１４）リターンする。
【００３５】
尚、上述した実施の形態は、複数のルーバを回動させる複数のモータの出力パターンにを関するものであるが、空気調和機が備える運転状態等を表示するＬＥＤ等の複数のランプの点灯パターンに関しても、同様に実施することが可能である。ランプの点灯パターンデータには、そのランプを消灯させるデータも当然含まれる。
【図面の簡単な説明】
【００３６】
【図１】本発明に係る空気調和機の実施の形態の構成を示すブロック図である。
【図２】本発明に係る空気調和機のステッピングモータの出力制御の例を示すフローチャートである。
【図３】本発明に係る空気調和機の実施の形態の構成を示すブロック図である。
【図４】本発明に係る空気調和機の実施の形態の構成を示すブロック図である。
【図５】外部記憶装置の記憶内容を示す説明図である。
【図６】外部記憶装置の記憶内容を示す説明図である。
【図７】本発明に係る空気調和機のステッピングモータの出力制御の例を示すフローチャートである。
【図８】外部記憶装置の記憶内容を示す説明図である。
【図９】本発明に係る空気調和機のステッピングモータの出力制御の例を示すフローチャートである。
【図１０】従来の空気調和機のステッピングモータの出力制御の例を示すフローチャートである。
【符号の説明】
【００３７】
１，１ａ，１ｂ  空気調和機
２  マイクロコンピュータ
３，４，５  ステッピングモータ
７  外部記憶装置（記憶手段）
８，９  上ルーバ
１０  下ルーバ
【図１】
2006189171.tif 000003
【図２】
2006189171.tif 000004
【図３】
2006189171.tif 000005
【図４】
2006189171.tif 000006
【図５】
2006189171.tif 000007
【図６】
2006189171.tif 000008
【図７】
2006189171.tif 000009
【図８】
2006189171.tif 000010
【図９】
2006189171.tif 000011
【図１０】
2006189171.tif 000012